(57)【要約】【課題】レーザ墨出し装置において、ライン状光線の垂直度や水平度の調整可能領域を広くし、また、素早く調整できるようにする。【解決手段】レーザ墨出し装置１は、ライン状光線を照射する本体部４と、本体部４を回転自在に軸支する直交２軸部５と、直交２軸部５を回転自在に軸支する支持台３２を備えている。本体部４は、上方に延出した変形自在な懸架部４４によって直交２軸部５に軸支されている。直交２軸部５は、互いに直交交差するＸ軸とＹ軸の２軸を有しており、Ｘ軸は、懸架部４４に取り付けられ、Ｙ軸は、支持台３２に取り付けられている。懸架部４４を変形させて直交２軸部５の２軸の交点Ｏと本体部４との相対位置関係を変化させることにより、ライン状光線の照射位置を調整する。懸架部４４を変形させてライン状光線の照射位置を調整するので、ライン状光線の垂直度や水平度の調整可能領域が広く、また、素早く調整することができる。【選択図】図２
2011007604.tif 000002
【特許請求の範囲】
【請求項１】
ライン状光線を照射する本体部と、互いに直交交差する２軸を有し該２軸の内の一方の１軸によって前記本体部を回転自在に軸支する直交２軸部と、該直交２軸部を前記２軸の内の他方の１軸によって回転自在に軸支する支持台と、を備えたレーザ墨出し装置において、
前記本体部は、上方に延出した懸架部を有し、該懸架部によって前記直交２軸部に軸支され、
前記懸架部は、変形自在な部材から成り、変形することにより前記２軸の交点と前記本体部との相対位置関係を変化させ、前記ライン状光線の照射位置を可変としたことを特徴とするレーザ墨出し装置。
【請求項２】
ライン状光線を照射する本体部と、互いに直交交差する２軸を有し該２軸の内の一方の１軸によって前記本体部を回転自在に軸支する直交２軸部と、該直交２軸部を前記２軸の内の他方の１軸によって回転自在に軸支する支持台と、を備えたレーザ墨出し装置において、
前記本体部は、上方に延出した懸架部を有し、該懸架部によって前記直交２軸部に軸支され、
前記懸架部は、前記本体部への取付位置を可変とされ、取付位置を変えることにより前記２軸の交点と前記本体部との相対位置関係を変化させ、前記ライン状光線の照射位置を可変としたことを特徴とするレーザ墨出し装置。
【発明の詳細な説明】
【技術分野】
【０００１】
本発明は、壁面や天井面にライン状、若しくは点状のレーザ光を照射して墨出し作業に用いられるレーザ墨出し装置に関する。
【背景技術】
【０００２】
従来から、住宅建設や電気工事に際して壁面や天井面に付す基準線として、光ビームによるライン状光線を出射するレーザ墨出し装置が知られている。これらのレーザ墨出し装置は、レーザ発振器から出射された光ビームを投光レンズによって平行光に変換し、平行光を円筒レンズによって扇状のライン状光線に変換して垂直ライン状光線や水平ライン状光線として照射している。このとき、レーザ墨出し装置を設置する面の傾斜に拘らずにライン状光線が垂直、又は水平になるように、レーザ発振器、投光レンズ及び円筒レンズ等を備えた本体部は、ジンバル機構を介してレーザ墨出し装置本体に揺動自在に取り付けられている。
【０００３】
このライン状光線の垂直度や水平度の調整は、本体部に取り付けられた錘の位置を移動させ、本体部の重心位置を調整して行なうのが一般的である（例えば特許文献１参照）。このようなレーザ墨出し装置について、図７を参照して説明する。レーザ墨出し装置１０１は、設置面にレーザ墨出し装置１０１を支持する支脚１０２と、支脚１０２に支持される筐体部１０３と、ライン状光線を照射する本体部１０４と、本体部１０４を筐体部１０３の内部に懸架する直交２軸部１０５とを備えている。本体部１０４は、垂直ライン状光線Ｌ１を照射する垂直光学部１４１と水平ライン状光線Ｌ２を照射する水平光学部１４２とを有している。直交２軸部１０５は互いに直交交差するＸ軸とＹ軸の２軸を有し、本体部１０４を鉛直方向に軸支している。本体部１０４は、Ｘ方向にネジによって移動する錘１１０ｘと、Ｙ方向にネジによって移動する錘１１０ｙとを有しており、錘１１０ｘ及び１１０ｙを移動させて本体部１０４の重心位置を調整し、垂直ライン状光線Ｌ１及び水平ライン状光線Ｌ２の照射位置を調整する。
【０００４】
このようなレーザ墨出し装置においては、本体部１０４が鋳物品で作られている場合等、本体部１０４の形状のバラツキが大きい場合には、重心位置が設計位置から大きくズレることがある。しかしながら、錘１１０ｘ、１１０ｙの位置移動では本体部１０４の重心位置を調整できる範囲が小さいので、ライン状光線の垂直度や水平度の調整可能領域が小さく、ライン状光線の照射位置を調整できない虞がある。また、錘をネジによって移動させて本体部１０４の重心位置を調整するので、錘の移動に時間に時間を要し、ライン状光線の照射位置の調整に手間がかかる。
【先行技術文献】
【特許文献】
【０００５】
【特許文献１】特開２０００−２７１８８３号公報
【発明の概要】
【発明が解決しようとする課題】
【０００６】
本発明は、上記問題を解消するものであり、ライン状光線の垂直度や水平度の調整可能領域が広く、また、調整を素早く行なうことができるレーザ墨出し装置を提供することを目的とする。
【課題を解決するための手段】
【０００７】
上記目的を達成するために請求項１の発明は、ライン状光線を照射する本体部と、互いに直交交差する２軸を有し該２軸の内の一方の１軸によって前記本体部を回転自在に軸支する直交２軸部と、該直交２軸部を前記２軸の内の他方の１軸によって回転自在に軸支する支持台と、を備えたレーザ墨出し装置において、前記本体部は、上方に延出した懸架部を有し、該懸架部によって前記直交２軸部に軸支され、前記懸架部は、変形自在な部材から成り、変形することにより前記２軸の交点と前記本体部との相対位置関係を変化させ、前記ライン状光線の照射位置を可変としたものである。
【０００８】
請求項２の発明は、ライン状光線を照射する本体部と、互いに直交交差する２軸を有し該２軸の内の一方の１軸によって前記本体部を回転自在に軸支する直交２軸部と、該直交２軸部を前記２軸の内の他方の１軸によって回転自在に軸支する支持台と、を備えたレーザ墨出し装置において、前記本体部は、上方に延出した懸架部を有し、該懸架部によって前記直交２軸部に軸支され、前記懸架部は、前記本体部への取付位置を可変とされ、取付位置を変えることにより前記２軸の交点と前記本体部との相対位置関係を変化させ、前記ライン状光線の照射位置を可変としたものである。
【発明の効果】
【０００９】
請求項１の発明によれば、直交２軸部に軸支され本体部を懸架する懸架部を変形させてライン状光線の照射位置の調整を行なうので、ライン状光線の照射位置の調整可能領域が広くなる。また、懸架部は容易に変形するので、ライン状光線の照射位置を素早く調整することができる。
【００１０】
請求項２の発明によれば、懸架部の本体部への取付位置を自在に変動させてライン状光線の照射位置を調整するので、ライン状光線の照射位置の調整可能領域が広くなる。また、取付位置は容易に変動するので、ライン状光線の照射位置を素早く調整することができる。
【図面の簡単な説明】
【００１１】
【図１】本発明の第１の実施形態に係るレーザ墨出し装置の構成図。
【図２】同レーザ墨出し装置における本体部の構成図。
【図３】（ａ）は同レーザ墨出し装置の直交２軸部の分解斜視図、（ｂ）は組み立てられた同直交２軸部の斜視図。
【図４】（ａ）はライン状光線照射位置の調整前における同レーザ墨出し装置の本体部の斜視図、（ｂ）はライン状光線照射位置の調整後における同本体部の斜視図。
【図５】本発明の第２の実施形態に係るレーザ墨出し装置の本体部の構成図。
【図６】同上実施形態の変形例におけるレーザ墨出し装置の本体部の構成図。
【図７】従来のレーザ墨出し装置の構成図。
【発明を実施するための形態】
【００１２】
（第１の実施形態）
本発明の第１の実施形態に係るレーザ墨出し装置について図１を参照して説明する。レーザ墨出し装置１は、設置面にレーザ墨出し装置１を支持する３本の支脚２と、支脚２に支持される筐体部３と、筐体部３の内部でジンバル機構（図示せず）によって垂直に取り付けられている本体部４とを備えている。本体部４は、正面を照射する垂直ライン状光線Ｌ１と水平ライン状光線Ｌ２を、それぞれ窓３１ａ、３１ｂを通して照射する。
【００１３】
筐体部３の内部の構成について、図２及び図３を参照して説明する。筐体部３の内部には、本体部４と、本体部４を回転自在に軸支しジンバル機構を構成する直交２軸部５と、直交２軸部５を回転自在に軸支する支持台３２が設けられている。支持台３２は筐体部３の内側面に取り付けられている。本体部４は、垂直ライン状光線Ｌ１を照射する垂直光学部４１と水平ライン状光線Ｌ２を照射する水平光学部４２とを前面に有している。垂直光学部４１と水平光学部４２は、それぞれ光ビームを出射するレーザ発振器（図示なし）と、出射された光ビームを平行光に変換する投光レンズ（図示なし）と、平行光をライン状光線に変換する円筒レンズ４３等を有している。
【００１４】
本体部４は、上方に延出した懸架部４４を有しており、この懸架部４４によって直交２軸部５に軸支されている。懸架部４４は、変形自在な部材である例えば金属や樹脂から成っている。直交２軸部５は、互いに直交交差するＸ軸とＹ軸の２軸を有しており、それぞれの軸の両端部に回動可能な軸受け５１を有している。Ｘ軸の軸受け５１は、懸架部４４に取り付けられ、Ｙ軸の軸受け５１は、支持台３２に取り付けられている。このようにして、本体部４は、筐体部３に揺動自在に取り付けられており、懸架部４４を変形させることにより、直交２軸部５の２軸の交点と本体部４との相対位置関係を変化させることができる。
【００１５】
本体部４は、垂直ライン状光線Ｌ１及び水平ライン状光線Ｌ２の照射位置を調整するときの基準となる基準線Ｇを有している。基準線Ｇが鉛直線に平行なときに、垂直ライン状光線Ｌ１及び水平ライン状光線Ｌ２が、それぞれ正確に垂直及び水平を照射するように設計されている。
【００１６】
次に、垂直ライン状光線Ｌ１及び水平ライン状光線Ｌ２の照射位置の調整動作について、図４（ａ）及び（ｂ）を参照して説明する。図４（ａ）は、本体部４を構成する各部品の形状のバラツキ等により、基準線Ｇが鉛直線とＹ方向に角度θ分傾いているときの本体部４等の斜視を示し、垂直ライン状光線Ｌ１及び水平ライン状光線Ｌ２も、それぞれ鉛直線及び水平線から角度θ分傾いている。そこで、図４（ｂ）に示すように、懸架部４４を外力ＦによってＹ方向に変形させて直交２軸部５の２軸の交点Ｏと本体部４との相対位置関係を変化させ、基準線Ｇを鉛直線に平行にする。これにより、垂直ライン状光線Ｌ１及び水平ライン状光線Ｌ２の傾きが修正される。懸架部４４はＸ方向にも変形させることができるので、基準線ＧがＸ方向に傾いているときにも修正することができる。
【００１７】
レーザ墨出し装置をこのような構成にすることにより、懸架部４４を変形させて垂直ライン状光線Ｌ１の垂直度や水平ライン状光線Ｌ２の水平度を調整するので、調整可能領域が広くなり、また、素早く調整することができる。また、調整のための部品点数が少ないので、低コストにすることができる。
【００１８】
（第２の実施形態）
本発明の第２の実施形態に係るレーザ墨出し装置１について図５を参照して説明する。レーザ墨出し装置は、第１の実施形態と異なり、懸架部４４の本体部４への取付位置を変えることができる。懸架部４４は、本体部４の前後面にＹ方向にスライド移動が可能なように取り付けられており、本体部４に設けられたＬ字形状の取付部４５にバネ等（図示なし）によって、押圧されている。取付部４５にはＹ方向にネジ穴が開けられており、ネジ４６が螺入されている。このネジ４６の螺入長さによって、懸架部４４の本体部４への取付位置をＹ方向に変えることができる。更に、Ｙ方向と同様の仕組みにより、懸架部４４の取付位置をＸ方向にも変えることができるような構成になっている（図示なし）。懸架部４４の本体部４への取付位置をＸ方向、Ｙ方向に移動させることにより、直交２軸部５の２軸の交点Ｏと本体部４との相対位置関係を変化させ、基準線Ｇを鉛直線に平行にする。
【００１９】
このように、懸架部４４の本体部４への取付位置を自在に移動させて垂直ライン状光線Ｌ１の垂直度や水平ライン状光線Ｌ２の水平度を調整するので、調整可能領域が広くなり、また、素早く調整することができる。また、ネジ４６によって固定するので、交点Ｏと本体部４との相対位置関係が変動しない。
【００２０】
本実施形態におけるレーザ墨出し装置１の変形例について図６を参照して説明する。本変形例では、懸架部４４の取付方法が第２の実施形態と異なっている。懸架部４４は、本体部４の前後面にＹ方向にスライド移動が可能なように取り付けられており、本体部４に設けられたＵ字形状の取付部４５にＹ方向両側から挟まれている。取付部４５は、懸架部４４を挟持するネジ４６を有しており、ネジ４６の螺入長さによって、懸架部４４の本体部４への取付位置をＹ方向に変えることができる。更に、Ｙ方向と同様の仕組みによって、懸架部４４の取付位置をＸ方向にも変えることができるような構成になっている（図示なし）。レーザ墨出し装置をこのような構成にすることにより、第２の実施形態と同様の効果を得ることができる。
【００２１】
なお、本発明は、上記実施形態の構成に限られず、発明の趣旨を変更しない範囲で種々の変形が可能である。例えば、照射するライン状光線は、垂直ライン状光線Ｌ１又は水平ライン状光線Ｌ２のいずれか一方だけでもよいし、また、真上や真下などにスポット光を照射するようにしてもよい。また、第２の実施形態において、懸架部４４の本体部４への取付構成は、取付位置が可変な任意の構成を採用することができる。
【符号の説明】
【００２２】
１  レーザ墨出し装置
３２  支持台
４  本体部
４４  懸架部
５  直交２軸部
【図１】
2011007604.tif 000003
【図２】
2011007604.tif 000004
【図３】
2011007604.tif 000005
【図４】
2011007604.tif 000006
【図５】
2011007604.tif 000007
【図６】
2011007604.tif 000008
【図７】
2011007604.tif 000009